(57)【特許請求の範囲】
【請求項１】
バネ性を有した金属板からなり、上面視円形の両端部が平行な直線で切り欠かれた長尺形状で、中央が上方に膨らんだドーム状に形成され、中央部が押圧操作されると節度感を伴って弾性反転し、押圧を解除すると節度感を伴って元の上方に膨らんだドーム状に弾性復帰する可動接点であって、上記直線で切り欠かれた直線状縁部と円形の縁部との交点である角部が円弧状に面取りされると共に、上記角部を結ぶ２本の対角線上の中心位置から等距離の４ヶ所に下方に突出した突部が設けられていることを特徴とする可動接点。
【発明の詳細な説明】
【技術分野】
【０００１】
本発明は、各種電子機器の操作部の押圧型スイッチに使用される可動接点付シートなどに用いられる可動接点に関するものである。
【背景技術】
【０００２】
近年、携帯用の通信機器やＡＶ機器などの電子機器は、小型化、軽量化、薄型化と併せ多機能化が進んでおり、それら電子機器の操作部に用いられる押圧型スイッチは、薄型で軽快な節度感を伴って操作できることが好まれて可動接点付シートを用いて構成したものが多くなっている。そして、この可動接点付シートに用いられる可動接点にも、小型、好感触であることと接触安定性が要求されている。
【０００３】
このような従来の可動接点付シートに用いられる可動接点について、図４〜図５を用いて説明する。
【０００４】
図４は従来の可動接点の長尺方向の断面図、図５は同平面図である。
【０００５】
同図において、１は、中央が上方に膨らんだドーム状で、上面視で円形外形の両端を平行に切り欠いた長尺形状に形成された可動接点であり、ステンレス鋼などのバネ性を有した金属板に打ち抜き加工や曲げ加工を施して、上記形状に形成されている。
【０００６】
この長尺形状の可動接点１は、細幅方向に複数個を並べて使用する際には、配置効率がよいものにできるものであった。
【０００７】
そして、この可動接点１は、まずドーム状に膨らんだ中央部に押圧力を加えていき、所定の押圧力を超えると節度感を伴ってドーム状の中央部分が下方に膨らんだ状態に弾性反転動作し、次にその押圧力を除いていき、所定の押圧力より小さくなると節度感を伴って自らの弾性復帰力によって元のドーム状に自己復元するものである。
【０００８】
なお、この出願の発明に関連する先行技術文献情報としては、例えば、特許文献１が知られている。
【特許文献１】特開２００５−７１７８３号公報
【発明の開示】
【発明が解決しようとする課題】
【０００９】
しかしながら上記従来の可動接点においては、両端を直線で切り欠いた長尺形状であるので、同じドーム状に形成されていても円形のものに比べてバネ性が弱くなり、押圧操作時の節度感が鈍くなりやすい。また、スイッチ接触安定性のさらなる向上が求められているという課題があった。
【００１０】
本発明は、このような従来の課題を解決するものであり、押圧操作時の操作感触が良好で、接触安定性が向上する可動接点を提供することを目的とする。
【課題を解決するための手段】
【００１１】
上記目的を達成するために本発明は、以下の構成を有するものである。
【００１２】
本発明の請求項１に記載の発明は、バネ性を有した金属板からなり、上面視円形の両端部が平行な直線で切り欠かれた長尺形状で、中央が上方に膨らんだドーム状に形成され、中央部が押圧操作されると節度感を伴って弾性反転し、押圧を解除すると節度感を伴って元の上方に膨らんだドーム状に弾性復帰する可動接点であって、上記直線で切り欠かれた直線状縁部と円形の縁部との交点である角部が円弧状に面取りされると共に、上記角部を結ぶ２本の対角線上の中心位置から等距離の４ヶ所に下方に突出した突部が設けられていることを特徴とする可動接点としたものであり、角部に円弧状の面取りを設けたものとしたことにより、押圧操作時に良好な操作感触が得られると共に、その反転動作時に、角部を結ぶ対角線上に設けた複数の突部が接触するようにできるので接触安定性の向上が図れた可動接点として提供できるという作用を有する。
【発明の効果】
【００１３】
以上のように本発明によれば、押圧操作時の操作感触が良好で、接触安定性が向上する可動接点を得ることができるという有利な効果が得られる。
【発明を実施するための最良の形態】
【００１４】
以下、本発明の実施の形態について、図１〜図３を用いて説明する。
【００１５】
（実施の形態）
図１は本発明の一実施の形態による可動接点の平面図、図２は同可動接点の長尺方向の断面図であり、同図において、１１はステンレス鋼などのバネ性を有した金属板からなる可動接点で、上面視円形の両端部が直線で平行に切り欠かれて長尺形状になされており、中央が上方に膨らんだドーム状に形成されている。
【００１６】
そして、切り欠かれた直線状縁部１２と円形の縁部１３との交点となる４ヶ所の角部は、円弧状に面取りされた円弧状角部１４とされていると共に、上記交点を結ぶ対角線上で、可動接点１１の中心位置からの距離が等しい位置に下方に突出した接触用の半球状の突部１５が４ヶ所設けられている。
【００１７】
上記構成の可動接点１１の動作は、ドーム状の中央部に押圧力を加えていき、所定の押圧力を超えると、ドーム状の中央部が節度感を伴って下方に膨らんだ状態に弾性反転する。そして、上記押圧力を減じていくと、節度感を伴ってドーム状の中央部が自らの弾性復帰力により元の図２に示すドーム状に膨らんだ状態に弾性復元するものである。
【００１８】
そして、上記可動接点１１は、各種の押圧型スイッチを構成する際に用いられるものであり、例えば、絶縁性のスイッチケース内に当該可動接点１１を収容して、操作体等でその可動接点１１を押圧してスイッチ動作させる形態のものや、可動接点１１のドーム状の上面をシート部材の下面に保持し、固定接点を備えた配線基板上に組み合せる形態のものなどとして多く用いることができる。
【００１９】
ここで、上記後者のシート部材の下面に可動接点１１を保持した形態のものについて、図３の断面図を用いて説明する。なお、この断面図は、可動接点１１の長尺方向の断面図であり、同図においては、判り易くするため厚み方向を拡大した表記としている。
【００２０】
図３において、２２はポリエステル樹脂、ポリウレタン樹脂等の絶縁フィルムからなるシート部材で、その下面に粘着剤２３が形成されており、その粘着剤２３により可動接点１１がそのドーム状の上面を粘着保持されて可動接点体２１が構成されている。そして、その可動接点体２１が、上面に一対の固定接点３２（３２Ａ，３２Ｂ）が設けられた配線基板３１に下面の粘着剤２３で粘着保持されてパネルスイッチが構成されている。
【００２１】
ここで、可動接点体２１の可動接点１１の外周下端は、外側固定接点３２Ｂ上に載っており、ドーム状に膨らんだ中央部下面は、空間を保って中央固定接点３２Ａと対峙している。
【００２２】
当該構成のものは、シート部材２２の上面から可動接点１１の中央部を押圧していき、所定の押圧力になると節度感を伴ってドーム状の中央部が弾性反転し、中央部に設けられた球状の４つの突部１５が下方に対峙した中央固定接点３２Ａに接触してスイッチオンとなり、押圧を解除すると、節度感を伴って元の上方に膨らんだドーム状に弾性復帰して、図２に示すスイッチオフの状態に戻る。
【００２３】
なお、この長尺形状の可動接点１１の角部は円弧状角部１４となされているので、外側固定接点３２Ｂ上に接触している外周下端は、円形の縁部１３の中央部であり、この構成によって、可動接点１１を押圧操作した際の受け部が円形の縁部１３の中央部に固定される。
【００２４】
つまり、円弧状角部１４が設けられていない従来のものであると、円形の外縁部の特定されない部分が押圧力の受け部となり、動作感触のばらつきや節度感の劣化が生じやすいが、本実施の形態によれば、外側固定接点３２Ｂとの接触位置である円形の縁部１３の中央部が押圧力の受け部として固定されて位置が安定し、押圧操作に伴う可動接点１１のドーム状部分の反転動作、復帰動作が安定して良好な操作感触が得られるものにできる。
【００２５】
また、可動接点１１のドーム状の中央部に４つの突部１５を設けているため、押圧されて、下方の中央固定接点３２Ａとの接触が多点接触となるため、接触の安定性が向上したものとなる。
【００２６】
そして、これら４つの突部１５は半球状に突設されているので、押圧力が過負荷となっても変形し難く安定した接触が得られる。さらに、この４つの突部１５は、中心位置から等距離で、切り欠かれた直線状縁部１２からも離れた位置として長尺形状の可動接点１１の対角線上に位置しているので、押圧操作による弾性反転と弾性復帰動作のための弾性変形への影響が少ないものとなり、良好な操作感触が得られる。
【産業上の利用可能性】
【００２７】
本発明による可動接点は、押圧操作時の操作感触が良好で、接触安定性が向上したものにできるという効果を有し、各種電子機器の操作部の押圧型スイッチに使用される可動接点付シート等に有用である。
【図面の簡単な説明】
【００２８】
【図１】本発明の一実施の形態による可動接点の平面図
【図２】同可動接点の長尺方向の断面図
【図３】同可動接点を用いた可動接点体を用いて構成した操作パネルの断面図
【図４】従来の可動接点の長尺方向の断面図
【図５】同平面図
【符号の説明】
【００２９】
１１  可動接点
１２  直線状縁部
１３  円形の縁部
１４  円弧状角部
１５  突部
２１  可動接点体
２２  シート部材
２３  粘着剤
３１  配線基板
３２  固定接点
３２Ａ  中央固定接点
３２Ｂ  外側固定接点
【図１】
0004894671.tif 000002
【図２】
0004894671.tif 000003
【図３】
0004894671.tif 000004
【図４】
0004894671.tif 000005
【図５】
0004894671.tif 000006